(57)【要約】【課題】大幅な工期の短縮及び建築コストの削減を図ることができ、断熱性に優れ、壁体部分の有効活用を図ることもでき、木造建築物の長所と鉄筋コンクリート造建築物の長所を兼備した建築物及びその建築方法を提供する。【解決手段】栗石１及び捨てコンクリート２上に形成された鉄筋コンクリート製の基礎３の立上り部３ａ上に構築された木造軸組構造体１０と、木造軸組構造体１０の外側壁１１に当接した状態に設置された発泡合成樹脂板材８と、発泡合成樹脂板材８の外側であって立上り部３ａ上の領域に配置された鉄筋と、発泡合成樹脂材８に密着し、且つ、鉄筋を内蔵した状態で、立上り部３ａ上に形成された鉄筋コンクリート製の壁体部１４と、を備えた建築物である。【選択図】図９
2018178609.tif 000002
【特許請求の範囲】
【請求項１】
鉄筋コンクリート製の基礎の立上り部上に木造軸組構造体を構築する工程と、
前記木造軸組構造体の外側壁に当接した状態若しくは前記外側壁に含まれる状態に発泡合成樹脂板材を取り付ける工程と、
前記発泡合成樹脂板材の外側であって前記立上り部上の領域に鉄筋を配置する配筋工程と、
前記発泡合成樹脂板材との間にセパレータを介在させた状態で前記鉄筋の外側に型枠を立設する工程と、
前記発泡合成樹脂板材と前記型枠との間にコンクリートを打設する工程と、
前記コンクリートが固化した後、前記型枠を取り外す工程と、を備えた建築方法。
【請求項２】
前記セパレータが、前記発泡合成樹脂板材の外側から前記木造軸組構造体に螺着される木ネジ部と、前記木ネジ部の基端側に前記木ネジ部と同軸に螺着されるセパレータ軸と、前記セパレータ軸の基端側に螺着されるＰコンと、を備えたものである請求項１記載の建築方法。
【請求項３】
前記セパレータが、折板状に折曲した折板部材と、前記折板部材を前記発泡合成樹脂板材の外側に固定するため前記折板部材の谷部を貫通して前記木造軸組構造体に螺着される木ネジと、前記折板部材の山部に螺着されるＰコンと、を備えたものである請求項１記載の建築方法。
【請求項４】
前記セパレータが、先端側に固定金具が固着されたセパレータ軸と、前記固定金具を前記発泡合成樹脂板材の外側に固定するため前記固定金具を貫通して前記木造軸組構造体に螺着される木ネジと、前記セパレータ軸の基端側に螺着されるＰコンと、を備えたものである請求項１記載の建築方法。
【請求項５】
前記立上り部の外側面に前記型枠の下縁側の内面を当接させた状態で前記型枠を立設する請求項１〜４の何れかに記載の建築方法。
【請求項６】
鉄筋コンクリート製の基礎の立上り部上に構築された木造軸組構造体と、
前記木造軸組構造体の外側壁に当接した状態若しくは前記外側壁に含まれる状態に設置された発泡合成樹脂板材と、
前記発泡合成樹脂板材の外側であって前記立上り部上の領域に配置された鉄筋と、
前記発泡合成樹脂板材に密着し、且つ、前記鉄筋を内蔵した状態で、前記立上り部上に形成された鉄筋コンクリート製の壁体部と、を備えた建築物。
【発明の詳細な説明】
【技術分野】
【０００１】
本発明は、木造建築物の長所と鉄筋コンクリート造建築物の長所を兼備した建築物及びその建築方法に関する。
【背景技術】
【０００２】
木造建築物の長所と鉄筋コンクリート造建築物の長所を兼備した建築物については、従来、様々なアイデアが出されているが、本発明に関連するものとして、例えば、特許文献１に記載された「鉄筋コンクリート外装木造建築物及びその建築方法」などがある。
【０００３】
特許文献１に記載されている「鉄筋コンクリート外装木造建築物及びその建築方法」は、立上り部の外周に沿って底版部が形成された基礎を構築する基礎構築工程と、立上り部の上側に外面が木板によって形成された木造建築物を建築する木造工程と、立上り部よりも外側の底版部の上側に木板に沿って鉄筋を配置する配筋工程と、立上り部よりも外側の底版部の上側であって鉄筋よりもさらに外側の部分に型枠を立てる型枠設置工程と、木板と型枠との隙間にコンクリートを流し込むコンクリート注入工程と、コンクリートを養生させるコンクリート養生工程と、を経て、木造建築物の外面に鉄筋コンクリート製の外壁を一体化させる、というものである。
【先行技術文献】
【特許文献】
【０００４】
【特許文献１】特許第４８７９３５９号公報
【発明の概要】
【発明が解決しようとする課題】
【０００５】
特許文献１に記載されている「鉄筋コンクリート外装木造建築物」は、木の温もりを感じ取ることができて、鉄筋コンクリート並みの強度を発揮できるなどの長所はあるが、工期の短縮や建築コストの削減の点においては不十分である。
【０００６】
特に、前記「鉄筋コンクリート外装木造建築物」を構成する木造建築物は外面が木板で形成されているため、施工に多くの労力と時間を要するだけでなく、木板で形成された壁体部分を配線や配管のスペースとして利用することが困難である。
【０００７】
そこで、本発明が解決しようとする課題は、大幅な工期の短縮及び建築コストの削減を図ることができ、断熱性に優れ、壁体部分の有効活用を図ることもでき、木造建築物の長所と鉄筋コンクリート造建築物の長所を兼備した建築物及びその建築方法を提供することにある。
【課題を解決するための手段】
【０００８】
本発明に係る建築方法は、
鉄筋コンクリート製の基礎の立上り部上に木造軸組構造体を構築する工程と、
前記木造軸組構造体の外側壁に当接した状態若しくは前記外側壁に含まれる状態に発泡合成樹脂板材を取り付ける工程と、
前記発泡合成樹脂板材の外側であって前記立上り部上の領域に鉄筋を配置する配筋工程と、
前記発泡合成樹脂板材との間にセパレータを介在させた状態で前記鉄筋の外側に型枠を立設する工程と、
前記発泡合成樹脂板材と前記型枠との間にコンクリートを打設する工程と、
前記コンクリートが固化した後、前記型枠を取り外す工程と、を備えたことを特徴とする。
【０００９】
このような構成とすれば、鉄筋コンクリート製の基礎の立上り部上に、シンプルな構造の木造軸組構造体を短期間で構築することができ、木造部分の工事と鉄筋コンクリート部分の工事を交互若しくは並行して施工することが可能となるので、大幅な工期の短縮及び建築コストの削減を図ることができる。即ち、工場でのプレカット加工済みの木材を施工現場に搬入して組み立てることが可能となるので、木造軸組構造体を短期間で構築することができる。また、木造軸組工法のほかに、木造ツーバイフォー工法、軽重量鉄骨工法のプレカットでの利用も可能である。
【００１０】
また、木造軸組構造体と鉄筋コンクリート製の壁体部分との間には発泡合成樹脂板材が介在しているので、断熱性に優れており、木造軸組構造体の外側壁部分の柱と間柱との間などには、配管や配線に供することができる有効スペースが存在するので、壁体部分の有効活用を図ることもできる。また、従来の建築方法においては、内部の設備工事（電気配線や水道配管など）もコンクリート打設前に完了させ、その後に、コンクリート打設を行っていたので、コンクリート打設後の配線や配管の変更が極めて困難であったが、本発明の建築方法においては、コンクリート打設後に配線や配管などを行うので、配線や配管の変更などを任意に行うことができるという長所がある。
【００１１】
さらに、建築物の内側は質感の良好な木材で構成され、外側は頑丈な鉄筋コンクリートで構成された状態となるので、木造建築物の長所と鉄筋コンクリート造建築物の長所を兼備した建築物を提供することができる。特に、日本においては、木造軸組工法を利用することが日本の風土に適した建物、住環境になるものと思われる。
【００１２】
ここで、前記建築方法においては、前記セパレータとして、前記発泡合成樹脂板材の外側から前記木造軸組構造体に螺着される木ネジ部と、前記木ネジ部の基端側に前記木ネジ部と同軸に螺着されるセパレータ軸と、前記セパレータ軸の基端側に螺着されるＰコンと、を備えたものを使用することができる。
【００１３】
また、前記建築方法においては、前記セパレータとして、折板状に折曲した折板部材と、前記折板部材を前記発泡合成樹脂板材の外側に固定するため前記折板部材の谷部を貫通して前記木造軸組構造体に螺着される木ネジと、前記折板部材の山部に螺着されるＰコンと、を備えたものを使用することもできる。
【００１４】
さらに、前記建築方法においては、前記セパレータとして、先端側に固定金具が固着されたセパレータ軸と、前記固定金具を前記発泡合成樹脂板材の外側に固定するため前記固定金具を貫通して前記木造軸組構造体に螺着される木ネジと、前記セパレータ軸の基端側に螺着されるＰコンと、を備えたものを使用することもできる。
【００１５】
一方、前記建築方法においては、前記立上り部の外側面に前記型枠の下縁側の内面を当接させた状態で前記型枠を立設することが望ましい。
【００１６】
次に、本発明に係る建築物は、
鉄筋コンクリート製の基礎の立上り部上に構築された木造軸組構造体と、
前記木造軸組構造体の外側壁に当接した状態若しくは前記外側壁に含まれる状態に設置された発泡合成樹脂板材と、
前記発泡合成樹脂板材の外側であって前記立上り部上の領域に配置された鉄筋と、
前記発泡合成樹脂板材に密着し、且つ、前記鉄筋を内蔵した状態で、前記立上り部上の領域に形成された鉄筋コンクリート製の壁体部と、を備えたことを特徴とする。
【発明の効果】
【００１７】
本発明により、大幅な工期の短縮及び建築コストの削減を図ることができ、断熱性に優れ、壁体部分の有効活用を図ることもでき、木造建築物の長所と鉄筋コンクリート造建築物の長所を兼備した建築物及びその建築方法を提供することができる。
【図面の簡単な説明】
【００１８】
【図１】本発明の第１実施形態である建築方法の施工工程を示す一部省略垂直断面図である。
【図２】図１に示す工程の後工程を示す一部省略垂直断面図である。
【図３】図２に示す工程の後工程を示す一部省略垂直断面図である。
【図４】図３に示す工程の後工程を示す一部省略垂直断面図である。
【図５】図４に示す工程の後工程を示す一部省略垂直断面図である。
【図６】図５中の矢線Ａで示す部分の一部省略拡大図である。
【図７】図６中に示すセパレータの側面図である。
【図８】図７中に示すセパレータの分解図である。
【図９】図６に示す工程の後工程を示す一部省略垂直断面図である。
【図１０】図９中のＢ−Ｂ線における一部省略水平断面図である。
【図１１】図９に示す工程の後工程を示す一部省略垂直断面図である。
【図１２】施工完了後の建築物を示す一部省略垂直断面図である。
【図１３】図１２中の矢線Ｃで示す部分の一部省略拡大図である。
【図１４】図１２中の矢線Ｄで示す部分の一部省略拡大図である。
【図１５】図１２中の矢線Ｅで示す部分の一部省略拡大図である。
【図１６】図１２中の矢線Ｆで示す部分の一部省略拡大図である。
【図１７】本発明の第２実施形態である建築方法において使用するセパレータを示す一部省略分解斜視図である。
【図１８】図１７に示すセパレータを使用した建築方法の施工工程を示す一部省略水平断面図である。
【図１９】図１８中の矢線Ｊで示す部分の一部省略拡大図である。
【図２０】本発明の第３実施形態である建築方法の施工工程を示す一部省略垂直断面図である。
【発明を実施するための形態】
【００１９】
以下、図１〜図２０に基づいて本発明の第１，第２，第３実施形態である建築方法及び建築物などについて説明する。なお、第１，第２，第３実施形態は、単に説明の順序を示すものであって施工技術の優先順位や優劣を示すものではなく、本発明はこれらの実施形態に限定されない。また、図１〜図２０に示す建築方法及び建築物において、従来から実施されている施工方法や資材などと共通する部分については省略している部分がある。
【００２０】
図１〜図１６に基づいて本発明の第１実施形態である建築方法及び建築物について説明する。図１は、鉄筋コンクリート製の基礎３が施工された後の状態を示している。図１に示すように、地盤Ｇに敷設された栗石１上に捨てコンクリート２が打設され、捨てコンクリート２上に鉄筋コンクリート製の基礎３が形成されている。基礎３を構成する立上り部３ａ及び床板部３ｂの内部には複数の鉄筋Ｓが立体的に配筋されている。また、基礎３内に配筋されている鉄筋Ｓと連続する複数の鉄筋Ｓ１が基礎３の立上り部３ａの上面３ｃから垂直方向に起立状に突出している。
【００２１】
次に、図２は、鉄筋コンクリート製の基礎３の立上り部３ａの上面３ｃに木造軸組構造体１０が構築された状態を示している。図２に示すように、木造軸組構造体１０は、立上り部３ａの上面３ｃの鉄筋Ｓ１よりも内側の部分にアンカーボルト（図１３参照）を介して水平に固定された複数の土台４と、土台４上に立設された複数の柱５と、複数の柱５の上端部に水平に取付けられた複数の桁６及び複数の梁７などで構成されている。木造軸組とは、材木で形成された柱、梁、桁、胴差、筋かい、土台などで構成される骨組をいう。本実施形態においては、施工中の木造軸組構造体１０を支える手段として複数のパイプサポートＰＳを使用しているが、これに限定するものではない。
【００２２】
次に、図３は、木造軸組構造体１０の周囲に発泡合成樹脂板材８を取り付けた状態を示している。図３に示すように、基礎３の立上り部３ａの上面３ｃの上であって、木造軸組構造体１０の外側壁１１と、鉄筋Ｓ１との間の領域に、発泡合成樹脂板材８がその内面を外側壁１１の外面に当接した状態で取り付けられている。ここで、木造軸組構造体１０の外側壁１１とは、柱５及び間柱９（図１０参照）などで形成される壁体部分をいう。発泡合成樹脂板材８は、後述する図６，図７，図８に示すように、セパレータ２０を構成する木ネジ部２１を発泡合成樹脂板材８の外側から、木造軸組構造体１０を構成する柱５及び間柱９に螺着することによって固定されている。なお、木ネジ部２１の基端側にはフランジ２１ｂ付きのナット部２１ａが一体的に設けられているため、発泡合成樹脂板材８の外側からナット部２１ａを工具で回転させることによって螺着作業は容易に行うことができる。また、図３に示すように、木造軸組構造体１０を構成する桁６及び梁７の上面にも発泡合成樹脂板材８が敷設される。
【００２３】
次に、図４は、木造軸組構造体１０の外側壁１１に取り付けられた発泡合成樹脂板材８の外側であって立上り部３ａ上の領域に複数の鉄筋Ｓ２を配置した状態を示している。後述する図６に示すように、垂直方向に配置された鉄筋Ｓ２の下端部は、立上り部３ａの上面３ｃから突出する鉄筋Ｓ２に結束線Ｗを用いて結束されている。鉄筋Ｓ２の上方は桁６及び梁７よりも高い位置まで配筋されている。
【００２４】
次に、図５，図６は、発泡合成樹脂板材８との間に複数のセパレータ２０を介在させた状態で鉄筋Ｓ１，Ｓ２の外側に型枠３０を立設した状態を示している。型枠３０は、鉄筋Ｓ１，Ｓ２よりも外側の位置に、木造軸組構造体１０の外側壁１１と平行をなすように配置されている。型枠３０の下縁３０ｂ側の内面３０ａは、立上り部３ａの外側面３ｄに当接させた状態で配置されている。
【００２５】
図６，図７，図８に示すように、セパレータ２０は、発泡合成樹脂板材８の外側から木造軸組構造体１０の柱５及び間柱９（図１０参照）に螺着される木ネジ部２１と、木ネジ部２１の基端側のナット部２１ａに開設された雌ネジ部２１ｃに雄ネジ部２２ａを螺着することにより木ネジ部２１と同軸に接続されるセパレータ軸２２と、セパレータ軸２２の基端側の雄ネジ部２２ｂに螺着されるＰコン２３と、を備えている。
【００２６】
図５，図６に示すように、発泡合成樹脂板材８との間に複数のセパレータ２０を介在させた状態で鉄筋Ｓ１，Ｓ２の外側に型枠３０を配置する手順は以下の通りである。まず、図８に示すように分解状態にあるセパレータ２０の木ネジ部２１を発泡合成樹脂板材８の外側から木造軸組構造体１０の柱５及び間柱９（図１０参照）に向かって螺着し、この後、木ネジ部２１のナット部２１ａの雌ネジ部２１ｃにセパレータ軸２２の雄ネジ部２２ａを螺着する。
【００２７】
次に、セパレータ軸２２の雄ネジ部２２ｂにＰコン２３を螺着し、Ｐコン２３の雄ネジ部２３ａが、型枠３０のネジ孔３０ｄを貫通して型枠３０の外面３０ｃから突出する状態で型枠３０を取り付ける。この後、型枠３０の外面３０ｃから突出している、Ｐコン２３の雄ネジ部２３ａにホームタイ２４を螺着して締め付けると、型枠３０が起立状態に保持される。
【００２８】
このように、図７，図８に示すセパレータ２０を使用することにより、発泡合成樹脂板材８及び鉄筋Ｓ１，Ｓ２の外側に型枠３０を取り付ける作業を、全て発泡合成樹脂板材８及び鉄筋Ｓ１，Ｓ２などの外側、即ち、木造軸組構造体１０の外側壁１１の外側から施工することができるので、作業性が良好であり、工期短縮に有効である。
【００２９】
発泡合成樹脂板材８及び鉄筋Ｓ１，Ｓ２の外側に型枠３０を取り付ける作業が完了したら、図５に示すように、桁６及び梁７の上に敷設された発泡合成樹脂板材８の上方の天井１２（図１１参照）となる部分に複数の鉄筋Ｓ３を配置する。また、木造軸組構造体１０の外側壁１１の外側部分にバルコニー１３（図１１参照）を形成するための型枠３１を配置し、複数のパイプサポートＰＳで支持するとともに、型枠３１の上方にバルコニー１３の床部１３ａなどを形成する複数の鉄筋Ｓ４を配筋する。
【００３０】
図５に示すように、鉄筋Ｓ１，Ｓ２，Ｓ３，Ｓ４の配筋が完了した後、発泡合成樹脂板材８と型枠３０との間にコンクリートを打設すると、図９，図１０に示すような状態となる。なお、発泡合成樹脂板材８と型枠３０との間へのコンクリート打設作業が終わる頃に鉄筋Ｓ３，Ｓ４が配筋された領域にもコンクリートを打設する。
【００３１】
図９，図１０は発泡合成樹脂板材８と型枠３０との間へのコンクリート打設が完了した状態を示している。図９，図１０に示すように、発泡合成樹脂板材８と型枠３０との間へコンクリートが打設されると、鉄筋コンクリート製の基礎３の立上り部３ａと一体化するとともに、発泡合成樹脂板材８の外面８ａに密着した鉄筋コンクリート製の壁体部１４が形成される。また、鉄筋Ｓ３，Ｓ４が配筋された領域にもコンクリートを打設する。この後、コンクリートの養生、固化が終わった時点で、図５中に示す型枠３０，３１及びパイプサポートＰＳなどを取り外すと、図１１に示すような状態となる。
【００３２】
図１１は、図１２に示す建築物１００の１階部分Ｆ１の一部省略垂直断面図である。図１１に示すように、１階部分Ｆ１は、鉄筋コンクリート製の基礎３の立上り部３ａ上に構築された木造軸組構造体１０と、木造軸組構造体１０の外側壁１１に当接した状態に設置された発泡合成樹脂板材８と、発泡合成樹脂板材８の外側であって立上り部３ａ上の領域に配置された鉄筋Ｓ１，Ｓ２（図６参照）と、発泡合成樹脂板材８に密着し、且つ、鉄筋Ｓ１，Ｓ２（図６参照）を内蔵した状態で、立上り部３ａ上に形成された鉄筋コンクリート製の壁体部１４と、を備えている。
【００３３】
図１１に示す施工が完了した後、図１〜図６に示す施工工程と同様の工程を経て２階部分Ｆ２の壁体部２９、屋上部２５及びバルコニー１３全体などを構築すると、図１２に示す建築物１００が完成する。
【００３４】
ここで、図１２〜図１６に基づいて、建築物１００の各部の構造について説明する。図１２〜図１６中において共通する部分（例えば、アンカーボルト２８など）については同じ符号を付して説明を省略している。なお、図１２〜図１６に示す建築物１００の構造は一例を示すものであり、これらの構造に限定されない。また、木造軸組構造体１０を構成する土台４、柱５、桁６、梁７及び発泡合成樹脂板材８などのサイズは限定しないので、施工条件に対応したサイズとすることができる。
【００３５】
図１２，図１３に示すように、１階部分Ｆ１の床Ｈは、土台４で囲まれた部分に配置された複数の大引き１５と、大引き１５を支える複数の鋼製束１６と、大引き１５の間に敷配置された発泡合成樹脂板材８と、大引き１５及び発泡合成樹脂板材８の上面に敷設された構造用合板１７及びフローリング材１８などによって形成されている。また、柱５の内側にはプラスターボード１９が取り付けられている。基礎３の立上り部３ａの内面３ｅには発泡合成樹脂板材８が貼付されている。
【００３６】
図１２，図１４及び図１６に示すように、１階部分Ｆ１の天井１２においては、梁７と発泡合成樹脂板材８との間に化粧板材２６が配置されている。１階部分Ｆ１の天井１２の上方には、図１３に示す１階部分Ｆ２の床Ｈと同様の構造を有する床Ｈが形成されている。また、図１２，図１５に示すように、２階部分Ｆ２の天井部分（屋上部２５の下面）には、発泡合成樹脂板材８、桁６、梁７、野縁２７及びプラスターボード１９などが配置されている。なお、図１５中に示す天井部分については、化粧で見せるようにする施工方法と、見せないようにする施工方法と、を任意に選択することができる。
【００３７】
従来のコンクリート型枠工事は、仮設材として取り付けを行い、撤去し易いように配置することが鉄則であり、固定も簡単にするようになっているので、外部の型枠も、内部の型枠も高精度を要求するものではない。これに対し、本発明の建設方法においては、木材のプレカット工法を採用し、工場加工することで、高い精度と強度を実現することができる。
【００３８】
また、型枠を固定することにより、高精度のコンクリート打設を行うことができ、その後は、内部の造作材や化粧材として利用することで、工期短縮、廃材減少、工賃及び工費の抑制を図ることができる。
【００３９】
従来の建築方法においては、内部の設備工事（電気配線や水道配管など）もコンクリート打設前に完了させ、その後に、コンクリート打設を行っていたので、コンクリート打設後の配線や配管の変更が極めて困難であったが、本発明の建築方法においては、コンクリート打設後に配線や配管などを行うので、配線や配管の変更などを任意に行うことができる。
【００４０】
また、本発明の建築方法によって構築された建築物は、外部が鉄筋コンクリート構造体で包囲されているため、地震、台風、土砂災害など日本で問題になっている災害の殆ど全てに適切に対応することができる。さらに、本発明の建築方法によって構築された建築物は、内部が木構造であるため、日本の風土に合致した住み心地を実現することができ、健康維持にも有効である。即ち、本発明に係る建築方法は、鉄筋コンクリート造の強さと、人に優しい木造の長所とを併せ持った建築物を提供することができる。
【００４１】
次に、図１７〜図１９に基づいて、本発明の第２実施形態である建築方法及び建築物について説明する。前述した第１実施形態においては、図６に示す発泡合成樹脂板材８と型枠３０との間に図７，図８に示すようなセパレータ２０を使用したが、本実施形態においては、図１７に示すようなセパレータ４０を使用している。
【００４２】
図１７に示すように、セパレータ４０は、折板状に折曲した帯板状の折板部材４１と、図１８，図１９に示すように、折板部材４１を発泡合成樹脂板材８の外側に固定するため折板部材４１の谷部４１ｖのネジ孔４１ａを貫通して木造軸組構造体の柱５及び間柱９に螺着される木ネジ４２と、折板部材４１の山部４１ｔに立設された雄ネジ部４３に螺着されるＰコン４４と、を備えている。なお、図１８，図１９においては鉄筋などを省略している。
【００４３】
図１８，図１９に示すように、本実施形態においては、鉄筋コンクリート製の基礎の立上り部上に構築された木造軸組構造体の外側壁（柱５及び間柱９などで形成される壁体部分）に含まれる状態に発泡合成樹脂板材８が取り付けられている。図１９に示すように、間柱９の壁厚方向Ｔのサイズ９ｓは、柱５の壁厚方向Ｔのサイズ５ｓよりも小さく設定されており、柱５の外面５ｃ側に設けられた横断面がＬ字切欠き形状の段差部５ａの底面５ｂと、間柱９の外面９ａとが壁厚方向Ｔの同位置となるように構成されている。
【００４４】
発泡合成樹脂板材８は、その両方の側縁部８ｓ，８ｓを柱５の段差部５ａに嵌入させるとともに、その内面８ｂを間柱９の外面９ａに当接した状態で配置されている。発泡合成樹脂板材８の外面８ａは柱５の外面５ｃと略同一平面を形成している。図１８，図１９において、発泡合成樹脂板材８と型枠３０との間にコンクリートを打設し、コンクリートが固化すると、コンクリートはセパレータ４０を内蔵した状態で、発泡合成樹脂板材８の外面８ａ及び柱５の外面５ｃに密着した状態となり、図１０に示す壁体部１４と同様の壁体部を有する建築物を構築することができる。
【００４５】
前述した図１８，１９に示すように、本実施形態においては、発泡合成樹脂板材８は、その両方の側縁部８ｓ，８ｓを柱５の段差部５ａに嵌入させるとともに、その内面８ｂを間柱９の外面９ａに当接した状態で配置され、発泡合成樹脂板材８の外面８ａは柱５の外面５ｃと略同一平面を形成している。このため、壁体部の厚みの増大を巧みに回避しながら、木造建築物の長所と鉄筋コンクリート造建築物の長所を兼備するとともに、断熱性に優れた壁体部を構築することができる。なお、本実施形態においても、柱５、間柱９のサイズや発泡合成樹脂板材８の厚さなどは限定しないので、施工条件に対応して任意に設定することができる。
【００４６】
次に、図２０に基づいて、本発明の第３実施形態である建築方法について説明する。前述したように、第１実施形態においては図７，図８に示すセパレータ２０を使用し、第２実施形態においては図１７に示すようなセパレータ４０を使用したが、本実施形態においては図２０中に示すセパレータ５０を使用している。
【００４７】
図１７中に示すように、セパレータ５０は、先端５２ａ側に固定金具５１が固着されたセパレータ軸５２と、固定金具５１の平面部５１ａを発泡合成樹脂板材８の外面８ａに密着させた状態で固定するため固定金具５１の平面部５１ａを貫通して間柱９（木造軸組構造体１０を構成する部材）に螺着される木ネジ５３と、セパレータ軸５２の基端５２ｂ側に螺着されるＰコン５４と、を備えている。
【００４８】
固定金具５１は、互いに直角をなす２つの平面部５１ａ，５１ｂを有する断面Ｌ字状の金具であり、一方の平面部５１ｂをセパレータ軸５２の先端５２ａ側に溶接５５で固着することによって固定金具５１とセパレータ軸５２とが一体され、他方の平面部５１ａの面方向はセパレータ軸５２の軸心方向と直交するように配置されている。なお、固定金具５１については同様の機能を有するものであれば、その形状や材質などは限定されない。
【００４９】
本実施形態においては、図２０に示すように、セパレータ５０の固定金具５１の平面部５１ａを発泡合成樹脂板材８の外面８ａに当接させ、木ネジ５３を、平面部５１ａを貫通して発泡合成樹脂板材８の外側から木造軸組構造体１０の間柱９に向かって螺着する、この後、木ネジ５３を締め付けることにより、セパレータ軸５２を固定金具５１とともに、発泡合成樹脂板材８の外側に固定する。
【００５０】
次に、セパレータ軸５２の雄ネジ部５２ｂにＰコン５４を螺着し、Ｐコン５４の雄ネジ部５４ａが、型枠３０のネジ孔３０ｄを貫通して型枠３０の外面３０ｃから突出した状態となるように型枠３０を取り付ける。この後、型枠３０の外面３０ｃから突出している、Ｐコン５４の雄ネジ部５４ａにホームタイ２４を螺着して締め付けると、型枠３０が起立状態に保持される。
【００５１】
このように、図２０中に示すセパレータ５０を使用することにより、発泡合成樹脂板材８及び鉄筋Ｓ１，Ｓ２（図６参照）の外側に型枠３０を取り付ける作業を、全て発泡合成樹脂板材８及び鉄筋Ｓ１，Ｓ２（図６参照）などの外側、即ち、木造軸組構造体１０の外側壁１１の外側から施工することができるので、作業性が良好であり、工期短縮に有効である。なお、本実施形態においても、間柱９のサイズや発泡合成樹脂板材８の厚さあるいはセパレータ５０のサイズなどは限定しないので、施工条件に対応して任意に設定することができる。
【００５２】
型枠３０の取付作業の完了後、発泡合成樹脂板材８と型枠３０との間にコンクリートを打設すると、図２０に示すように、発泡合成樹脂板材８の外面８ａに密着した鉄筋コンクリート製の壁体部１４が形成される。この後、コンクリートの養生、固化が終わった時点で、型枠３０などを取り外すと、図１１，図１２に示した壁体部１４と同様の壁体部１４が完成する。
【００５３】
なお、図１〜図２０に基づいて説明した建築方法及び建築物は、本発明に係る建築方法及び建築物を例示するものであり、本発明に係る築方法及び建築物は、前述した建築方法及び建築物に限定されない。
【産業上の利用可能性】
【００５４】
本発明に係る建築方法及び建築物は、戸建て住宅や集合住宅などの建築技術として、建設業の分野において広く利用することができる。
【符号の説明】
【００５５】
１  栗石
２  捨てコンクリート
３  基礎
３ａ  立上り部
３ｂ  床板部
３ｃ  上面
３ｅ，８ｂ，３０ａ  内面
４  土台
５  柱
５ａ  段差部
５ｂ  底面
５ｃ，８ａ，９ａ，３０ｃ  外面
５ｓ，９ｓ  サイズ
６  桁
７  梁
８  発泡合成樹脂板材
８ｓ  側縁部
９  間柱
１０  木造軸組構造体
１１  外側壁
１２  天井
１３  バルコニー
１３ａ  床部
１４，２９  壁体部
１５  大引き
１６  鋼製束
１７  構造用合板
１８  フローリング材
１９  プラスターボード
２０，４０，５０  セパレータ
２１  木ネジ部
２１ａ  ナット部
２１ｂ  フランジ
２１ｃ，４３  雌ネジ部
２２，５２  セパレータ軸
２２ａ，２２ｂ，５２ｂ，５４ａ  雄ネジ部
２３，４４，５４  Ｐコン
２４  ホームタイ
２５  屋上部
２６  化粧板材
２７  野縁
２８  アンカーボルト
３０，３１  型枠
３０ｂ  下縁
３０ｄ，４１ａ  ネジ孔
４１  折板部材
４２，５３  木ネジ
４１ｔ  山部
４１ｖ  谷部
４３  
５１  固定金具
５１ａ，５１ｂ  平面部
５５  溶接
１００  建築物
Ｆ１  １階部分
Ｆ２  ２階部分
Ｇ  地盤
Ｈ  床
ＰＳ  パイプサポート
Ｓ，Ｓ１，Ｓ２，Ｓ３，Ｓ４  鉄筋
Ｔ  壁厚方向
【図１】
2018178609.tif 000003
【図２】
2018178609.tif 000004
【図３】
2018178609.tif 000005
【図４】
2018178609.tif 000006
【図５】
2018178609.tif 000007
【図６】
2018178609.tif 000008
【図７】
2018178609.tif 000009
【図８】
2018178609.tif 000010
【図９】
2018178609.tif 000011
【図１０】
2018178609.tif 000012
【図１１】
2018178609.tif 000013
【図１２】
2018178609.tif 000014
【図１３】
2018178609.tif 000015
【図１４】
2018178609.tif 000016
【図１５】
2018178609.tif 000017
【図１６】
2018178609.tif 000018
【図１７】
2018178609.tif 000019
【図１８】
2018178609.tif 000020
【図１９】
2018178609.tif 000021
【図２０】
2018178609.tif 000022
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
鉄筋コンクリート製の基礎の立上り部上に木造軸組構造体を構築する工程と、
前記木造軸組構造体の外側壁に当接した状態若しくは前記外側壁に含まれる状態に発泡合成樹脂板材を取り付ける工程と、
前記発泡合成樹脂板材の外側であって前記立上り部上の領域に鉄筋を垂直方向に配置し、前記鉄筋の下端部を、前記基礎内に配筋された鉄筋と連続した状態で前記立上り部の上面から突出する鉄筋に結束する配筋工程と、
前記発泡合成樹脂板材との間にセパレータを介在させた状態で前記鉄筋の外側に型枠を立設する工程と、
前記発泡合成樹脂板材と前記型枠との間にコンクリートを打設する工程と、
前記コンクリートが固化した後、前記型枠を取り外す工程と、を備えた建築方法。
【請求項２】
前記セパレータが、前記発泡合成樹脂板材の外側から前記木造軸組構造体に螺着される木ネジ部と、前記木ネジ部の基端側に前記木ネジ部と同軸に螺着されるセパレータ軸と、前記セパレータ軸の基端側に螺着されるＰコンと、を備えたものである請求項１記載の建築方法。
【請求項３】
前記セパレータが、折板状に折曲した折板部材と、前記折板部材を前記発泡合成樹脂板材の外側に固定するため前記折板部材の谷部を貫通して前記木造軸組構造体に螺着される木ネジと、前記折板部材の山部に螺着されるＰコンと、を備えたものである請求項１記載の建築方法。
【請求項４】
前記セパレータが、先端側に固定金具が固着されたセパレータ軸と、前記固定金具を前記発泡合成樹脂板材の外側に固定するため前記固定金具を貫通して前記木造軸組構造体に螺着される木ネジと、前記セパレータ軸の基端側に螺着されるＰコンと、を備えたものである請求項１記載の建築方法。
【請求項５】
前記立上り部の外側面に前記型枠の下縁側の内面を当接させた状態で前記型枠を立設する請求項１〜４の何れかに記載の建築方法。
【請求項６】
鉄筋コンクリート製の基礎の立上り部上に構築された木造軸組構造体と、
前記木造軸組構造体の外側壁に当接した状態若しくは前記外側壁に含まれる状態に設置された発泡合成樹脂板材と、
前記発泡合成樹脂板材の外側であって前記立上り部上の領域に垂直方向に配置され、その下端部が、前記基礎内に配筋された鉄筋と連続した状態で前記立上り部の上面から突出する鉄筋に結束された鉄筋と、
前記発泡合成樹脂板材に密着し、且つ、前記鉄筋を内蔵した状態で、前記立上り部上に形成された鉄筋コンクリート製の壁体部と、を備えた建築物。
【手続補正２】
【補正対象書類名】明細書
【補正対象項目名】０００８
【補正方法】変更
【補正の内容】
【０００８】
本発明に係る建築方法は、
鉄筋コンクリート製の基礎の立上り部上に木造軸組構造体を構築する工程と、
前記木造軸組構造体の外側壁に当接した状態若しくは前記外側壁に含まれる状態に発泡合成樹脂板材を取り付ける工程と、
前記発泡合成樹脂板材の外側であって前記立上り部上の領域に鉄筋を垂直方向に配置し、前記鉄筋の下端部を、前記基礎内に配筋された鉄筋と連続した状態で前記立上り部の上面から突出する鉄筋に結束する配筋工程と、
前記発泡合成樹脂板材との間にセパレータを介在させた状態で前記鉄筋の外側に型枠を立設する工程と、
前記発泡合成樹脂板材と前記型枠との間にコンクリートを打設する工程と、
前記コンクリートが固化した後、前記型枠を取り外す工程と、を備えたことを特徴とする。
【手続補正３】
【補正対象書類名】明細書
【補正対象項目名】００１６
【補正方法】変更
【補正の内容】
【００１６】
次に、本発明に係る建築物は、
鉄筋コンクリート製の基礎の立上り部上に構築された木造軸組構造体と、
前記木造軸組構造体の外側壁に当接した状態若しくは前記外側壁に含まれる状態に設置された発泡合成樹脂板材と、
前記発泡合成樹脂板材の外側であって前記立上り部上の領域に垂直方向に配置され、その下端部が、前記基礎内に配筋された鉄筋と連続した状態で前記立上り部の上面から突出する鉄筋に結束された鉄筋と、
前記発泡合成樹脂板材に密着し、且つ、前記鉄筋を内蔵した状態で、前記立上り部上に形成された鉄筋コンクリート製の壁体部と、を備えたことを特徴とする。
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
鉄筋コンクリート製であって立上り部及び床板部で構成された基礎の前記立上り部上に木造軸組構造体を構築する工程と、
前記木造軸組構造体の外側壁に当接した状態若しくは前記外側壁に含まれる状態に発泡合成樹脂板材を取り付ける工程と、
前記発泡合成樹脂板材の外側であって前記基礎を構成する前記立上り部上の領域に鉄筋を垂直方向に配置し、前記鉄筋の下端部を、前記基礎を構成する前記立上り部内に配筋された鉄筋と連続した状態で前記立上り部の上面から突出する鉄筋に結束する配筋工程と、
前記発泡合成樹脂板材との間にセパレータを介在させた状態で前記鉄筋の外側に型枠を立設する工程と、
前記発泡合成樹脂板材と前記型枠との間にコンクリートを打設して前記基礎を構成する前記立上り部と一体化するとともに前記発泡合成樹脂板材の外面に密着した鉄筋コンクリート製の壁体部を形成する工程と、
前記コンクリートが固化した後、前記型枠を取り外す工程と、を備えた建築方法。
【請求項２】
前記セパレータが、前記発泡合成樹脂板材の外側から前記木造軸組構造体に螺着される木ネジ部と、前記木ネジ部の基端側に前記木ネジ部と同軸に螺着されるセパレータ軸と、前記セパレータ軸の基端側に螺着されるＰコンと、を備えたものである請求項１記載の建築方法。
【請求項３】
前記セパレータが、折板状に折曲した折板部材と、前記折板部材を前記発泡合成樹脂板材の外側に固定するため前記折板部材の谷部を貫通して前記木造軸組構造体に螺着される木ネジと、前記折板部材の山部に螺着されるＰコンと、を備えたものである請求項１記載の建築方法。
【請求項４】
前記セパレータが、先端側に固定金具が固着されたセパレータ軸と、前記固定金具を前記発泡合成樹脂板材の外側に固定するため前記固定金具を貫通して前記木造軸組構造体に螺着される木ネジと、前記セパレータ軸の基端側に螺着されるＰコンと、を備えたものである請求項１記載の建築方法。
【請求項５】
前記立上り部の外側面に前記型枠の下縁側の内面を当接させた状態で前記型枠を立設する請求項１〜４の何れかに記載の建築方法。
【請求項６】
鉄筋コンクリート製であって立上り部及び床板部で構成された基礎の前記立上り部上に構築された木造軸組構造体と、
前記木造軸組構造体の外側壁に当接した状態若しくは前記外側壁に含まれる状態に設置された発泡合成樹脂板材と、
前記発泡合成樹脂板材の外側であって前記基礎を構成する前記立上り部上の領域に垂直方向に配置され、その下端部が、前記基礎を構成する前記立上り部内に配筋された鉄筋と連続した状態で前記立上り部の上面から突出する鉄筋に結束された鉄筋と、
前記発泡合成樹脂板材の外面に密着し、且つ、前記鉄筋を内蔵した状態で、前記基礎を構成する前記立上り部上に前記立上り部と一体化して形成された鉄筋コンクリート製の壁体部と、を備えた建築物。
【手続補正２】
【補正対象書類名】明細書
【補正対象項目名】０００８
【補正方法】変更
【補正の内容】
【０００８】
本発明に係る建築方法は、
鉄筋コンクリート製であって立上り部及び床板部で構成された基礎の前記立上り部上に木造軸組構造体を構築する工程と、
前記木造軸組構造体の外側壁に当接した状態若しくは前記外側壁に含まれる状態に発泡合成樹脂板材を取り付ける工程と、
前記発泡合成樹脂板材の外側であって前記基礎を構成する前記立上り部上の領域に鉄筋を垂直方向に配置し、前記鉄筋の下端部を、前記基礎を構成する前記立上り部内に配筋された鉄筋と連続した状態で前記立上り部の上面から突出する鉄筋に結束する配筋工程と、
前記発泡合成樹脂板材との間にセパレータを介在させた状態で前記鉄筋の外側に型枠を立設する工程と、
前記発泡合成樹脂板材と前記型枠との間にコンクリートを打設して前記基礎を構成する前記立上り部と一体化するとともに前記発泡合成樹脂板材の外面に密着した鉄筋コンクリート製の壁体部を形成する工程と、
前記コンクリートが固化した後、前記型枠を取り外す工程と、を備えたことを特徴とする。
【手続補正３】
【補正対象書類名】明細書
【補正対象項目名】００１６
【補正方法】変更
【補正の内容】
【００１６】
次に、本発明に係る建築物は、
鉄筋コンクリート製であって立上り部及び床板部で構成された基礎の前記立上り部上に構築された木造軸組構造体と、
前記木造軸組構造体の外側壁に当接した状態若しくは前記外側壁に含まれる状態に設置された発泡合成樹脂板材と、
前記発泡合成樹脂板材の外側であって前記基礎を構成する前記立上り部上の領域に垂直方向に配置され、その下端部が、前記基礎を構成する前記立上り部内に配筋された鉄筋と連続した状態で前記立上り部の上面から突出する鉄筋に結束された鉄筋と、
前記発泡合成樹脂板材の外面に密着し、且つ、前記鉄筋を内蔵した状態で、前記基礎を構成する前記立上り部上に前記立上り部と一体化して形成された鉄筋コンクリート製の壁体部と、を備えたことを特徴とする。